(57)【要約】【課題】各部屋にユーザ検知装置を備えることなく、使用中の映像表示装置へ映像データを送信し、映像を表示させることができるデータ送信システム及び該データ送信システムを構成するデータ送信装置を提供する。【解決手段】映像データに基づいて映像を表示する複数の映像表示装置４１，４２，４３，４４と、データ送信装置とを備えるデータ送信システムにおいて、データ送信装置に、各映像表示装置４１，４２，４３，４４の電源が投入されているか否かを示す動作状態情報を取得する取得手段、該取得手段が取得した動作状態情報に基づいて、電源が投入されている映像表示装置４１，４２，４３，４４を特定する特定手段、並びに該特定手段が特定した映像表示装置４１，４２，４３，４４へ映像及び音声データを送信する送信手段を備える。【選択図】図１
2007306142.tif 000002
【特許請求の範囲】
【請求項１】
映像データに基づいて映像を表示する複数の映像表示装置と、該複数の映像表示装置のいずれかへ映像データを送信するデータ送信装置とを備えるデータ送信システムにおいて、
前記データ送信装置は、
各映像表示装置の電源が投入されているか否かを示す情報を取得する取得手段と、
該取得手段が取得した情報に基づいて、電源が投入されている映像表示装置を特定する特定手段と、
該特定手段が特定した映像表示装置へ映像データを送信する送信手段と
を備えることを特徴とするデータ送信システム。
【請求項２】
前記データ送信装置及び前記複数の映像表示装置は電力線に接続されており、
前記送信手段は、
電力線を介して映像データを送信するようにしてある
ことを特徴とする請求項１に記載のデータ送信システム。
【請求項３】
前記映像表示装置は、
電源を投入又は遮断するスイッチと、
該スイッチにより投入／遮断した場合、電源の投入／遮断を示す情報を記憶する記憶手段と、
該記憶手段が記憶した情報を前記データ送信装置へ送信する手段と
を備え、
前記取得手段は前記映像表示装置から送信された情報を取得するようにしてある
ことを特徴とする請求項１又は請求項２に記載のデータ送信システム。
【請求項４】
前記映像表示装置にて消費されている電力を計測する電力計を備え、
前記取得手段は、
前記電力計から各映像表示装置の電源が投入されているか否かを示す情報を取得するようにしてある
ことを特徴とする請求項１乃至請求項３のいずれか一つに記載のデータ送信システム。
【請求項５】
撮像して得た映像データを前記データ送信装置へ送信する撮像装置を備え、
前記データ送信装置は、
前記撮像装置が送信した映像データを受信する受信手段を備え、
該受信手段が受信した映像データを前記複数の映像表示装置のいずれかへ送信するようにしてある
ことを特徴とする請求項１乃至請求項４のいずれか一つに記載のデータ送信システム。
【請求項６】
複数の外部装置のいずれかへデータを送信するデータ送信装置において、
各外部装置の電源が投入されているか否かを示す情報を取得する取得手段と、
該取得手段が取得した情報に基づいて、電源が投入されている外部装置を特定する特定手段と、
該特定手段が特定した外部装置へデータを送信する送信手段と
を備えることを特徴とするデータ送信装置。
【請求項７】
前記送信手段は、
複数の外部装置が接続されている電力線を介してデータを送信するようにしてある
ことを特徴とする請求項６に記載のデータ送信装置。
【請求項８】
各外部装置に対するデータ送信の可否を示す送信可否情報を記憶するようにしてあり、
前記特定手段は、
記憶した送信可否情報に基づいて、電源が投入されており、データ送信が許可されている外部装置を特定する手段を備える
ことを特徴とする請求項６又は請求項７に記載のデータ送信装置。
【請求項９】
各外部装置に対するデータの強制送信の要否を示す強制送信要否情報を記憶するようにしてあり、
記憶した強制送信要否情報に基づいて、データの強制送信を要する外部装置を特定する強制送信先特定手段を備え、
前記送信手段は、
前記強制送信先特定手段が特定した外部装置へ、該外部装置の電源投入を指示する情報及び映像データを送信するようにしてある
ことを特徴とする請求項６乃至請求項８のいずれか一つに記載のデータ送信装置。
【請求項１０】
データ送信先の優先順位を示す優先順位情報を記憶するようにしてあり、
前記特定手段は、
記憶した優先順位情報に基づいて、電源が投入されており、優先順位が所定順位以上の外部装置を特定する手段を備える
ことを特徴とする請求項６乃至請求項９のいずれか一つに記載のデータ送信装置。
【発明の詳細な説明】
【技術分野】
【０００１】
本発明は、複数の映像表示装置と、該複数の映像表示装置のいずれかへ映像データを送信するデータ送信装置とを備えるデータ送信システム及び該データ送信システムを構成するデータ送信装置に関する。
【背景技術】
【０００２】
データ送信システム、例えばテレビドアホンは、カメラ付きの玄関子機と、屋内に設置されており、玄関子機で撮像された映像を表示する親機とから構成されている。このように構成されたテレビドアホンにおいては、使用者は、来訪者を映像で確認することができ。
【０００３】
一方、玄関子機及び汎用の映像表示装置、例えばテレビをホームネットワークに接続し、玄関子機が撮像して得た映像データをホームサーバを介して映像表示装置へ送信するように構成したテレビドアホンが提案されている（例えば、特許文献１）。
特許文献１に係るテレビドアホンにおいては、専用の親機を設置することなく、汎用の映像表示装置を親機として使用することができる。
【０００４】
また、各部屋に居る使用者の存在を赤外線にて検知するユーザ検知装置をホームネットワークに接続し、ユーザ検知装置の検知結果に基づいて、使用されている可能性が高い映像表示装置へ映像データを選択的に送信し、玄関先の映像を表示させるように構成したテレビドアホンが提案されている（例えば、特許文献２）。
特許文献２に係るテレビドアホンにおいては、使用者が居る部屋の映像表示装置に玄関先の映像を表示させることができる。
【特許文献１】特開２００４−２８９６５７号公報
【特許文献２】特開２００４−２６６４５３号公報
【発明の開示】
【発明が解決しようとする課題】
【０００５】
しかしながら、特許文献２に係るテレビドアホンにおいては、使用者を検知するユーザ検知装置を、映像表示装置が設置されている各部屋の適宜箇所に設置する必要があるという問題があった。
ユーザ検知装置を部屋に設置した場合、部屋の美感を損なう虞があり、また家具又は映像表示装置の配置が制限される虞がある。
【０００６】
本発明は、斯かる事情に鑑みてなされたものであり、各映像表示装置の電源が投入されているか否かを示す情報を取得し、該情報に基づいて電源が投入されている映像表示装置を特定し、特定した映像表示装置へ映像データを送信するデータ送信装置を備えることにより、各部屋にユーザ検知装置を備えることなく、使用中の映像表示装置へ映像データを送信し、映像を表示させることができるデータ送信システム及び該データ送信システムを構成するデータ送信装置を提供することを目的とする。
【０００７】
本発明の他の目的は、データ送信装置及び複数の映像表示装置が接続されている既存の電力線を介して映像データを送信するように構成することにより、専用ケーブル及びユーザ検知装置を備えることなく、使用中の映像表示装置へ映像データを送信し、映像を表示させることができるデータ送信システム及び該データ送信システムを構成するデータ送信装置を提供することにある。
【０００８】
本発明の他の目的は、電源が投入又は遮断された場合、電源が投入されているか否かを示す情報を記憶し、記憶した該情報をデータ送信装置へ送信する映像表示装置を備え、映像表示装置から送信された情報を取得するようにデータ送信装置を構成することにより、前記映像表示装置から送信された前記情報に基づいて、使用中の映像表示装置を特定し、映像を表示させることができるデータ送信システムを提供することにある。
【０００９】
本発明の他の目的は、各映像表示装置にて消費されている電力を計測する既存の電力計から映像表示装置の電源が投入されているか否かを示す情報を取得するように構成することにより、既存の電力計から取得した情報に基づいて、使用中の映像表示装置を特定し、映像を表示させることができるデータ送信システムを提供することにある。
【００１０】
本発明の他の目的は、撮像して得た映像データをデータ送信装置へ送信する撮像装置を備えることにより、撮像装置が撮像した映像を使用中の映像表示装置に表示させることができるデータ送信システムを提供することにある。
【００１１】
本発明の他の目的は、各外部装置、例えば映像表示装置に対するデータ送信の可否を示す送信可否情報を記憶するようにしてあり、記憶した送信可否情報に基づいて、電源が投入されており、データ送信が許可されている外部装置を特定し、特定した外部装置へデータを送信するように構成することにより、電源が投入されている特定の外部装置へデータを送信することができるデータ送信装置を提供することにある。
【００１２】
本発明の他の目的は、各外部装置に対するデータの強制送信の要否を示す強制送信要否情報を記憶するようにしてあり、記憶した強制送信要否情報に基づいて、データの強制送信を要する外部装置を特定し、特定した外部装置へ電源の投入を指示する情報及びデータを送信するように構成することにより、電源が投入されていない場合であっても特定の外部装置の電源を投入して、該外部装置へデータを送信することができるデータ送信装置を提供することにある。
【００１３】
本発明の他の目的は、データの送信先の優先順位を示す優先順位情報を記憶するようにしてあり、記憶した優先順位情報に基づいて、電源が投入されており、優先順位が所定順以上の外部装置を特定し、特定した外部装置へデータを送信するように構成することにより、電源が投入されており、優先順位が高い特定の外部装置へデータを送信することができるデータ送信装置を提供することにある。
【課題を解決するための手段】
【００１４】
第１発明に係るデータ送信システムは、映像データに基づいて映像を表示する複数の映像表示装置と、該複数の映像表示装置のいずれかへ映像データを送信するデータ送信装置とを備えるデータ送信システムにおいて、前記データ送信装置は、各映像表示装置の電源が投入されているか否かを示す情報を取得する取得手段と、該取得手段が取得した情報に基づいて、電源が投入されている映像表示装置を特定する特定手段と、該特定手段が特定した映像表示装置へ映像データを送信する送信手段とを備えることを特徴とする。
【００１５】
第２発明に係るデータ送信システムは、前記データ送信装置及び前記複数の映像表示装置が電力線に接続されており、前記送信手段は、電力線を介して映像データを送信するようにしてあることを特徴とする。
【００１６】
第３発明に係るデータ送信システムは、前記映像表示装置が、電源を投入又は遮断するスイッチと、該スイッチにより投入／遮断した場合、電源の投入／遮断を示す情報を記憶する記憶手段と、該記憶手段が記憶した情報を前記データ送信装置へ送信する手段とを備え、前記取得手段は前記映像表示装置から送信された情報を取得するようにしてあることを特徴とする。
【００１７】
第４発明に係るデータ送信システムは、前記映像表示装置にて消費されている電力を計測する電力計を備え、前記取得手段は、前記電力計から各映像表示装置の電源が投入されているか否かを示す情報を取得するようにしてあることを特徴とする。
【００１８】
第５発明に係るデータ送信システムは、撮像して得た映像データを前記データ送信装置へ送信する撮像装置を備え、前記データ送信装置は、前記撮像装置が送信した映像データを受信する受信手段を備え、該受信手段が受信した映像データを前記複数の映像表示装置のいずれかへ送信するようにしてあることを特徴とする。
【００１９】
第６発明に係るデータ送信装置は、複数の外部装置のいずれかへデータを送信するデータ送信装置において、各外部装置の電源が投入されているか否かを示す情報を取得する取得手段と、該取得手段が取得した情報に基づいて、電源が投入されている外部装置を特定する特定手段と、該特定手段が特定した外部装置へデータを送信する送信手段とを備えることを特徴とする。
【００２０】
第７発明に係るデータ送信装置は、前記送信手段が、複数の外部装置が接続されている電力線を介してデータを送信するようにしてあることを特徴とする。
【００２１】
第８発明に係るデータ送信装置は、各外部装置に対するデータ送信の可否を示す送信可否情報を記憶するようにしてあり、前記特定手段は、記憶した送信可否情報に基づいて、電源が投入されており、データ送信が許可されている外部装置を特定する手段を備えることを特徴とする。
【００２２】
第９発明に係るデータ送信装置は、各外部装置に対するデータの強制送信の要否を示す強制送信要否情報を記憶するようにしてあり、記憶した強制送信要否情報に基づいて、データの強制送信を要する外部装置を特定する強制送信先特定手段を備え、前記送信手段は、前記強制送信先特定手段が特定した外部装置へ、該外部装置の電源投入を指示する情報及び映像データを送信するようにしてあることを特徴とする。
【００２３】
第１０発明に係るデータ送信装置は、データ送信先の優先順位を示す優先順位情報を記憶するようにしてあり、前記特定手段は、記憶した優先順位情報に基づいて、電源が投入されており、優先順位が所定順位以上の外部装置を特定する手段を備えることを特徴とする。
【００２４】
第１及び第６発明にあっては、データ送信装置の特定手段は、取得手段が取得した情報に基づいて、電源が投入されている電気機器、例えば映像表示装置を特定する。送信手段は、特定手段によって特定された映像表示装置へ映像データを送信する。そして、映像表示装置は、送信手段にて送信された映像データに基づいて映像を表示する。
電源が投入されている映像表示装置は、電源が投入されていない映像表示装置に比べて、使用者が使用している可能性が高い。従って、使用者が使用している可能性が高い映像表示装置へ映像データに係る映像を表示させる。
【００２５】
第２及び第７発明にあっては、データ送信装置は、既存の電力線を介して映像データを映像表示装置へ送信する。従って、データ送信装置から映像表示装置へ映像データを送信するための専用ケーブルが不要である。
【００２６】
第３発明にあっては、映像表示装置のスイッチが電源を投入した場合、記憶手段は電源が投入されていることを示す情報を記憶し、スイッチが電源を遮断した場合、記憶手段は電源が遮断されていることを示す情報を記憶する。映像表示装置は、記憶手段が記憶した情報を映像表示装置へ送信する。データ送信装置は、映像表示装置から送信された情報を取得し、取得した情報に基づいて、電源が投入されている映像表示装置を特定する。そして、データ送信装置は特定された映像表示装置へ映像データを送信し、映像を表示させる。
【００２７】
第４発明にあっては、電力計が映像表示装置にて消費されている電力を計測しており、データ送信装置の取得手段は、電力計から各映像表示装置の電源が投入されているか否かを示す情報を取得し、特定手段は取得した情報に基づいて、電源が投入されている映像表示装置を特定する。そして、データ送信装置は特定された映像表示装置へ映像データを送信し、映像を表示させる。
【００２８】
第５発明にあっては、撮像装置が撮像して得た映像データをデータ送信装置へ送信し、データ送信装置は、撮像装置から送信された映像データを電源が投入されている映像表示装置へ送信し、映像を表示させる。
【００２９】
第８発明にあっては、データ送信装置は、各外部装置に対するデータ送信の可否を示す送信可否情報を記憶しており、特定手段は、送信可否情報に基づいて、電源が投入されており、データ送信が許可されている外部装置を特定する。送信手段は、特定手段が特定した外部装置、つまり電源が投入されており、データ送信が許可されている外部装置へデータを送信する。例えば、映像データを送信し、映像を表示させる。
【００３０】
第９発明にあっては、データ送信装置は、各外部装置に対するデータの強制送信の要否を示す強制送信要否情報を記憶するようにしており、強制送信先特定手段は、強制送信要否情報に基づいてデータの強制送信を要する外部装置を特定する。送信手段は、強制送信先特定手段が特定した外部装置へ、電源投入を指示する情報及びデータを送信する。従って、電源が投入されていない外部装置の電源を投入して、該外部装置へデータを送信する。
【００３１】
第１０発明にあっては、データ送信装置は、データの送信先の優先順位を示す優先順位情報を記憶しており、特定手段は、優先順位情報に基づいて、電源が投入されており、優先順位が所定順位以上の外部装置を特定する。そして、送信手段は、特定手段によって特定された外部装置へデータを送信する。
【発明の効果】
【００３２】
第１及び第６発明によれば、各部屋にユーザ検知装置を備えることなく、使用中の映像表示装置へ映像データを送信し、映像を表示させることができる。
【００３３】
第２及び第７発明によれば、専用ケーブル及びユーザ検知装置を備えることなく、使用中の映像表示装置へ映像データを送信し、映像を表示させることができる。
【００３４】
第３発明によれば、映像表示装置から送信された電源が投入されているか否かを示す情報に基づいて、使用中の映像表示装置を特定し、映像を表示させることができる。
【００３５】
第４発明によれば、既存の電力計から取得した情報に基づいて、使用中の映像表示装置を特定し、映像を表示させることができる。
【００３６】
第５発明によれば、撮像装置、例えば玄関子機が撮像した映像を使用中の映像表示装置に表示させることができる。
【００３７】
第８発明によれば、電源が投入されており、データ送信が許可されている特定の外部装置へデータを送信することができる。例えば、電源が投入されており、データ送信が許可されている特定の映像表示装置に玄関子機が撮像した映像を表示させることができる。
【００３８】
第９発明によれば、電源が投入されていない外部装置の電源を投入して、該外部装置へデータを送信することができる。例えば、電源が投入されていない場合であっても、特定の映像表示装置の電源を投入し、玄関子機が撮像した映像を表示させることができる。
【００３９】
第１０発明によれば、電源が投入されており、優先順位が所定順位以上の特定の外部装置へデータを送信することができる。例えば、一部屋に電源が投入された複数の映像表示装置がある場合、優先順位が高い特定の映像表示装置のみに玄関子機が撮像した映像を表示させることができる。
【発明を実施するための最良の形態】
【００４０】
以下、本発明をその実施の形態を示す図面に基づいて詳述する。
（実施の形態１）
図１は、本発明の実施の形態１に係るデータ送信システムを示す模式図である。データ送信システムは、屋外に設置されたカメラ付きの玄関子機２、屋内に設置された親機３、複数の映像表示装置４１，４２，４３，４４及びデータ転送装置１を備えており、データ転送装置１は、玄関子機２が撮像及び集音して得た映像データ及び音声データを電力線５を介して親機３又は映像表示装置４１，４２，４３，４４のいずれかへ選択的に送信するように構成されている。
【００４１】
屋内の適宜箇所、例えば玄関には、屋内に引き込まれた電力線５を第１及び第２電力線５１，５２に分配する配電盤６が設けられており、配電盤６は第１及び第２電力線５１，５２で消費されている電力を計測する電力計６ａを備えている。
第１電力線５１は１階の部屋Ａ，Ｂに配設されており、部屋Ａではデータ転送装置１、親機３、及び映像表示装置４１が第１電力線５１に接続され、部屋Ｂでは映像表示装置４２及び玄関子機２が第１電力線５１に接続されている。第２電力線５２は、２階の部屋Ｃ，Ｄに配設されており、部屋Ｃでは映像表示装置４３が第２電力線５２に接続され、部屋Ｄでは映像表示装置４４が第２電力線５２に接続されている。
【００４２】
図２は、玄関子機２の構成を示すブロック図である。玄関子機２は、扁平略直方体の筐体を備えており、筐体の正面側には、撮像部２ｄ、集音部２ｂ、スピーカ２ｆ、及び呼出ボタン２ｈが配されている。また、玄関子機２は、筐体内部に子機制御部２ａを収容しており、子機制御部２ａには、バス２ｋを介して撮像部２ｄ、集音部２ｂ、スピーカ２ｆ、呼出ボタン２ｈ、圧縮部２ｊ、ＲＯＭ２ｃ、ＲＡＭ２ｅ、計時部２ｇ、及びＰＣＬ（Power Line Communication）モデム２ｉが接続されている。
【００４３】
撮像部２ｄは、レンズ、該レンズにて結像した映像を電気信号の映像信号に光電変換する撮像素子、例えばＣＣＤ、アナログの映像信号をデジタルの映像データにＡＤ変換するＡＤ変換部等を備えており、ＡＤ変換された映像データを圧縮部２ｊに与える。
【００４４】
集音部２ｂは、音声を電気信号に変換する動電型又はコンデンサ型のマイクロホン、アナログの音声信号をデジタルの音声データに変換するＡＤ変換部等を備えており、ＡＤ変換された音声データを圧縮部２ｊに与える。
【００４５】
圧縮部２ｊは、撮像部２ｄ及び集音部２ｂから与えられた映像データ及び音声データを所定の圧縮伸張方式に従って圧縮符号化し、圧縮符号化した映像及び音声データをＰＣＬモデム２ｉに与える。
【００４６】
ＰＣＬモデム２ｉは、第１電力線５１に接続されており、圧縮部２ｊにて圧縮符号化された映像及び音声データを変調し、変調した映像及び音声データを第１電力線５１を介してデータ転送装置１へ送信する。具体的には、ＰＣＬモデム２ｉは、映像及び音声データに基づいて変調した信号を商用交流に重畳させて、所定のプロトコル、例えばＥＣＨＯＮＥＴにてデータ転送装置１へ送信する。映像及び音声データの転送先は、ＥＣＨＯＮＥＴアドレスで指定される。
また、ＰＣＬモデム２ｉは、データ転送装置１、親機３等から送信された音声データ、制御データ等の各種データを受信し、受信した各種データを復調する。具体的には、ＰＣＬモデム２ｉは、信号が重畳した商用交流から、該信号を抽出するフィルタ、抽出した信号から各種データを復調する復調回路等を備えている。
【００４７】
スピーカ２ｆは、親機３から送信された音声データを再生し、音声を出力する。呼出ボタン２ｈは、押しボタン式であり、子機制御部２ａは、呼出ボタン２ｈの操作状態を検出できるように構成されている。
【００４８】
ＲＯＭ２ｃは、映像及び音声データの送信に係る処理を実行するための制御プログラムを記憶している。子機制御部２ａは、例えばＭＰＵであり、ＲＯＭ２ｃが記憶している制御プログラムをＲＡＭ２ｅに展開して実行することにより、撮像部２ｄによる撮像、ＰＣＬモデム２ｉによる映像及び音声データの送信を制御する。
【００４９】
図３は、データ転送装置１の構成を示すブロック図である。
データ転送装置１は、通信制御部１ａを備えており、通信制御部１ａには、バス１ｈを介して記憶部１ｂ、表示部１ｅ、操作部１ｇ、ＲＯＭ１ｃ、ＲＡＭ１ｄ及びＰＣＬモデム１ｆが接続されている。
【００５０】
通信制御部１ａは、例えばＭＰＵであり、ＲＯＭ１ｃが記憶している制御プログラムをＲＡＭ１ｄに展開して実行することにより、映像及び音声データを玄関子機２から映像表示装置４１，４２，４３，４４のいずれかへ転送する処理を実行する。
【００５１】
ＰＣＬモデム１ｆは、ＰＣＬモデム２ｉと同様の構成であり、玄関子機２から送信された映像及び音声データ等を受信及び復調し、受信した映像及び音声データを、第１及び第２電力線５１，５２に接続された親機３、映像表示装置４１，４２，４３，４４のいずれかへ変調及び送信する。
【００５２】
操作部１ｇは、映像及び音声データの転送方法に係る情報を入力するための操作ボタン、操作キー等からなり、表示部１ｅは、転送方法、データ転送装置１の動作状態等を表示する液晶ディスプレイである。
【００５３】
記憶部１ｂは、操作部１ｇにて入力された転送方法に係る情報を記憶する不揮発性メモリである。転送方法に係る情報は、送信可否情報及び強制送信要否情報を含む。送信可否情報は、映像及び音声データの送信を許可又は禁止する映像表示装置４１，４２，４３，４４を示すデータであり、強制送信要否データは、映像及び音声データの強制的な送信が必要又は不要な映像表示装置４１，４２，４３，４４を示すデータである。
【００５４】
図４は、映像表示装置４１の構成を示すブロック図である。映像表示装置４１は、例えば液晶テレビであり、表示制御部４１ａ、表示制御部４１ａにバス４１ｋを介して接続された映像表示部４１ｂ、スピーカ４１ｄ、電源スイッチ４１ｆ、伸張部４１ｈ、動作状態記憶部４１ｊ、ＲＯＭ４１ｃ、ＲＡＭ４１ｅ、操作信号受信部４１ｇ及びＰＣＬモデム４１ｉ等が接続されている。また、映像表示装置４１は、図示しないデジタルチューナ、復調回路、デマルチプレクサ、デコーダ等を備えている。
【００５５】
表示制御部４１ａは、例えばＭＰＵであり、ＲＯＭ４１ｃが記憶している制御プログラムをＲＡＭ４１ｅに展開して実行することにより、映像表示及び音声出力等の処理を実行する。
【００５６】
操作信号受信部４１ｇは、図示しない遠隔操作装置から送信された赤外線の遠隔操作信号、例えば電源を投入又は遮断する遠隔操作信号を受信する。
電源スイッチ４１ｆは、電源を投入又は遮断するためのスイッチであり、電源が遮断されている状態で操作信号受信部４１ｇが前記遠隔操作信号を受信した場合、電源を投入し、電源が投入されている状態で操作信号受信部４１ｇが前記遠隔操作信号を受信した場合、電源を遮断する。
そして、動作状態記憶部４１ｊは、電源が投入された場合、電源が投入されていることを示す動作状態情報を記憶し、電源が遮断された場合、電源が遮断されていることを示す情報を記憶する。
【００５７】
ＰＣＬモデム４１ｉは、ＰＣＬモデム２ｉと同様の構成であり、データ転送装置１から送信された映像データ及び音声データを受信し、復調する。また、ＰＣＬモデム４１ｉは、表示制御部４１ａから与えられた各種データ、例えば映像表示装置４１の電源が投入されているか否かを示す動作状態情報を変調し、データ転送装置１へ送信する。
【００５８】
伸張部４１ｈは、ＰＣＬモデム４１ｉにて復調した映像データを伸張し、伸張した映像データを映像表示部４１ｂに与える。また、伸張部４１ｈは、音声データを伸張し、伸張した音声データをスピーカ４１ｄに与える。
【００５９】
映像表示部４１ｂは、液晶表示パネル、液晶パネル駆動部及びバックライト装置等を備えており、映像データに基づいて、映像を表示するように構成されている。スピーカは、音声データに基づいて、音声を再生する。
以上、映像表示装置４１の構成を説明したが、映像表示装置４２，４３，４４も映像表示装置４１と同様の構成である。
【００６０】
図５は、玄関子機２の映像及び音声データの送信に係る子機制御部２ａの処理手順を示すフローチャートである。
子機制御部２ａは、呼出ボタン２ｈの操作状態を検出し、呼出ボタン２ｈが押下されたか否かを検出する（ステップＳ１１）。呼出ボタン２ｈが押下されていないと判定した場合（ステップＳ１１：ＮＯ）、子機制御部２ａは、処理をステップＳ１１へ戻す。呼出ボタン２ｈが押下されたと判定した場合（ステップＳ１１：ＹＥＳ）、子機制御部２ａは、映像及び音声データの転送を要求する転送要求信号をデータ転送装置１へ送信し（ステップＳ１２）、計時部２ｇに計時を開始させる（ステップＳ１３）。
【００６１】
次いで、子機制御部２ａは、撮像部２ｄに撮像を開始させ、撮像部２ｄが撮像して得た映像データを取得する（ステップＳ１４）。また、子機制御部２ａは、集音部２ｂによる集音を開始させ、集音部２ｂが集音して得た音声データを取得する（ステップＳ１５）。
【００６２】
次いで、子機制御部２ａは、映像及び音声データを圧縮部２ｊにて圧縮符号化させ（ステップＳ１６）、圧縮符号化した映像及び音声データをデータ転送装置１へ送信する（ステップＳ１７）。そして、子機制御部２ａは、親機３と応答中であるか否かを判定する（ステップＳ１８）。親機３と応答中であると判定した場合（ステップＳ１８：ＹＥＳ）、子機制御部２ａは、処理をステップＳ１４へ戻す。応答中でないと判定した場合（ステップＳ１８：ＮＯ）、子機制御部２ａは、計時部２ｇが所定時間を計時したか否かを判定する（ステップＳ１９）。
【００６３】
計時部２ｇが所定時間を計時したと判定した場合（ステップＳ１９：ＹＥＳ）、子機制御部２ａは、転送停止要求信号をデータ転送装置１へ送信し（ステップＳ２０）、映像及び音声データの送信に係る処理を終える。計時部２ｇが所定時間を計時していないと判定した場合（ステップＳ１９：ＮＯ）、子機制御部２ａは、処理をステップＳ１４へ戻す。
【００６４】
図６は、データ転送装置１の映像及び音声データの転送に係る通信制御部１ａの処理手順を示すフローチャートである。
通信制御部１ａは、映像及び音声データの転送要求信号を受信したか否かを判定する（ステップＳ３１）。転送要求信号を受信していないと判定した場合（ステップＳ３１：ＮＯ）、通信制御部１ａは、処理をステップＳ３１へ戻す。転送要求信号を受信したと判定した場合（ステップＳ３１：ＹＥＳ）、通信制御部１ａは、映像及び音声データの転送先特定に係るサブルーチンを呼び出し、転送先を特定する（ステップＳ３２）。
【００６５】
次いで、通信制御部１ａは、特定された転送先があるか否かを判定する（ステップＳ３３）。特定された転送先があると判定した場合（ステップＳ３３：ＹＥＳ）、転送開始信号を特定された転送先である映像表示装置４１，４２，４３，４４へ送信する（ステップＳ３４）。そして、通信制御部１ａは、玄関子機２から送信された映像及び音声データを受信し（ステップＳ３５）、受信した映像及び音声データを特定された映像表示装置４１，４２，４３，４４へ送信する（ステップＳ３６）。
【００６６】
次いで、通信制御部１ａは、玄関子機２から送信された転送停止要求信号を受信したか否かを判定する（ステップＳ３７）。転送停止要求信号を受信していないと判定した場合（ステップＳ３７：ＮＯ）、通信制御部１ａは、処理をステップＳ３５へ戻す。転送停止要求信号を受信したと判定した場合（ステップＳ３７：ＹＥＳ）、通信制御部１ａは、転送終了信号を映像表示装置４１，４２，４３，４４へ送信し（ステップＳ３８）、映像及び音声データの転送に係る処理を終える。
【００６７】
ステップＳ３３で特定された転送先がないと判定した場合（ステップＳ３３：ＮＯ）、通信制御部１ａは、親機３へ映像及び音声データの受信を要求する転送開始信号を送信する（ステップＳ３９）。そして、通信制御部１ａは、映像及び音声データを受信し（ステップＳ４０）、受信した映像及び音声データを親機３へ送信する（ステップＳ４１）。
【００６８】
次いで、通信制御部１ａは、玄関子機２から送信された転送停止要求信号を受信したか否かを判定する（ステップＳ４２）。転送停止要求信号を受信していないと判定した場合（ステップＳ４２：ＮＯ）、通信制御部１ａは、処理をステップＳ４０へ戻す。転送停止要求信号を受信したと判定した場合（ステップＳ４２：ＹＥＳ）、通信制御部１ａは、転送終了信号を親機３へ送信し（ステップＳ４３）、映像及び音声データの転送に係る処理を終える。
【００６９】
図７は、映像及び音声データの転送先特定に係るサブルーチンの処理手順を示すフローチャートである。転送先の特定に係るサブルーチンが呼び出された場合、通信制御部１ａは、一の映像表示装置４１，４２，４３，４４へ、電源が投入されているか否かを示す動作状態情報を要求する（ステップＳ６１）。次いで、通信制御部１ａは、動作状態情報を受信したか否かを判定する（ステップＳ６２）。動作状態情報を受信していないと判定した場合（ステップＳ６２：ＮＯ）、通信制御部１ａは、処理をステップＳ６１へ戻す。
【００７０】
動作状態情報を受信したと判定した場合（ステップＳ６２：ＹＥＳ）、通信制御部１ａは、受信した動作状態情報に基づいて、電源が投入されているか否かを判定する（ステップＳ６３）。電源が投入されていると判定した場合（ステップＳ６３：ＹＥＳ）、通信制御部１ａは、記憶部１ｂから送信可否情報を読み出し（ステップＳ６４）、一の映像表示装置４１，４２，４３，４４について、映像及び音声データの送信が許可されているか否かを判定する（ステップＳ６５）。
【００７１】
ステップＳ６３で電源が遮断されていると判定した場合（ステップＳ６３：ＮＯ）、通信制御部１ａは、記憶部１ｂから強制送信要否情報を読み出し（ステップＳ６６）、映像及び音声データの強制送信を要するか否かを判定する（ステップＳ６７）。強制送信を要すると判定した場合（ステップＳ６７：ＹＥＳ）、通信制御部１ａは、電源投入要求信号を一の映像表示装置４１，４２，４３，４４へ送信する（ステップＳ６８）。
【００７２】
ステップＳ６５で映像及び音声データの送信が許可されていると判定した場合（ステップＳ６５：ＹＥＳ）、又はステップＳ６８の処理を終えた場合、通信制御部１ａは、一の映像表示装置４１，４２，４３，４４を転送先として記憶する（ステップＳ６９）。
【００７３】
ステップＳ６９の処理を終えた場合、ステップＳ６５で映像及び音声データの送信が許可されていないと判定した場合（ステップＳ６５：ＮＯ）、又はステップＳ６７で映像及び音声データの強制送信が不要であると判定した場合（ステップＳ６７：ＮＯ）、通信制御部１ａは、第１及び第２電力線５１，５２に接続されている全映像表示装置４１，４２，４３，４４を調査したか否かを判定する（ステップＳ７０）。全映像表示装置４１，４２，４３，４４を調査していないと判定した場合（ステップＳ７０：ＮＯ）、通信制御部１ａは、処理をステップＳ６１へ戻す。全映像表示装置４１，４２，４３，４４を調査したと判定した場合（ステップＳ７０：ＹＥＳ）、通信制御部１ａは、映像及び音声データの転送先特定に係るサブルーチンの処理を終える。
【００７４】
図８は、映像表示装置４１の電源制御に係る表示制御部４１ａの処理手順を示すフローチャートである。
表示制御部４１ａは、操作信号受信部４１ｇが電源を投入又は遮断する遠隔操作信号を受信したか否かを判定する（ステップＳ９１）。受信したと判定した場合（ステップＳ９１：ＹＥＳ）、電源を投入又は遮断する（ステップＳ９２）。つまり、電源が投入されている状態で前記遠隔操作信号を受信した場合、電源スイッチ４１ｆに電源を遮断させ、電源が遮断されている状態で前記遠隔操作信号を受信した場合、電源スイッチ４１ｆに電源を投入させる。
【００７５】
そして、表示制御部４１ａは、電源が投入されているか否かを示す動作状態情報をＲＡＭ４１ｅに記憶させる（ステップＳ９３）。ステップＳ９３の処理を終えた場合、又は遠隔操作信号を受信していないと判定した場合（ステップＳ９１：ＮＯ）、表示制御部４１ａは、動作状態情報の要求があるか否かを判定する（ステップＳ９４）。動作状態情報の要求があると判定した場合（ステップＳ９４：ＹＥＳ）、表示制御部４１ａは、ＲＡＭ４１ｅから動作状態情報を読み出し（ステップＳ９５）、読み出した動作状態情報をデータ転送装置１へ送信する（ステップＳ９６）。
【００７６】
ステップＳ９６の処理を終えた場合、又は動作状態情報の要求がないと判定した場合（ステップＳ９４：ＮＯ）、表示制御部４１ａは、電源投入要求信号を受信したか否かを判定する（ステップＳ９７）。電源投入要求信号を受信したと判定した場合（ステップＳ９７：ＹＥＳ）、表示制御部４１ａは、電源が投入されている状態であるか否かを判定する（ステップＳ９８）。電源が投入されている状態でないと判定した場合（ステップＳ９８：ＮＯ）、表示制御部４１ａは、電源を投入し（ステップＳ９９）、電源が投入されていることを示す動作状態情報をＲＡＭ４１ｅに記憶させる（ステップＳ１００）。
【００７７】
ステップＳ１００の処理を終えた場合、電源が投入されていると判定した場合（ステップＳ９８：ＹＥＳ）、又は電源投入要求信号を受信していないと判定した場合（ステップＳ９７：ＮＯ）、表示制御部４１ａは、電源制御に係る処理を終える。
【００７８】
図９は、映像表示に係る表示制御部４１ａの処理手順を示すフローチャートである。
電源が投入されている状態で転送開始信号を受信した場合、表示制御部４１ａは、データ転送装置１から送信された映像及び音声データを受信する（ステップＳ１２１）。
【００７９】
次いで、表示制御部４１ａは、受信した映像データに基づいて映像表示部４１ｂに映像を表示させ（ステップＳ１２２）、受信した音声データに基づいてスピーカ４１ｄに音声を出力させる（ステップＳ１２３）。そして、表示制御部４１ａは、転送終了信号を受信したか否かを判定する（ステップＳ１２４）。転送終了信号を受信したと判定した場合（ステップＳ１２４：ＹＥＳ）、表示制御部４１ａは、映像表示に係る処理を終える。転送終了信号を受信していないと判定した場合（ステップＳ１２４：ＮＯ）、表示制御部４１ａは、処理をステップＳ１２１へ戻す。
【００８０】
このように構成されたデータ送信システムにあっては、各部屋Ａ，Ｂ，Ｃ，Ｄの美感又はレイアウトを損なう虞があるユーザ検知装置を備えることなく、映像表示装置４１，４２，４３，４４から送信された動作状態情報に基づいて、電源が投入されている映像表示装置４１，４２，４３，４４を特定し、使用中の映像表示装置４１，４２，４３，４４へ映像データを選択的に送信し、玄関先の映像を表示させることができる。例えば、図１に示すように部屋Ｄに設置された映像表示装置４４の電源が投入されている場合、映像表示装置４４に玄関先の映像が表示される。
【００８１】
また、映像表示装置４１，４２，４３，４４、玄関子機２、及びデータ転送装置１を接続するための専用ケーブルを配設することなく、既存の第１及び第２電力線５１，５２を介して映像及び音声データ等を転送することができる。従って、専用ケーブルを配設することによって部屋Ａ，Ｂ，Ｃ，Ｄの美感が損なわれることを防ぐことができる。
更に、第１及び第２電力線５１，５２を介して映像及び音声データを送信するため、無線信号にて送信する場合に比べて、より確実に映像及び音声データを各映像表示装置４１，４２，４３，４４へ送信することができる。
【００８２】
更にまた、データ転送装置１に送信許可情報を記憶させることにより、特定の映像表示装置４１，４２，４３，４４には、電源が投入されていても玄関子機２が撮像した映像を表示させないように設定することができる。例えば、放送映像の視聴中に玄関先の映像が割り込むことを避けたい場合、特定の映像表示装置４１，４２，４３，４４には玄関先の映像が表示されないように設定することができる。
【００８３】
更にまた、データ転送装置１に強制送信要否情報を記憶させることにより、特定の映像表示装置４１，４２，４３，４４には、電源投入されていない場合であっても、強制的に電源を投入させ、玄関子機２が撮像した映像を表示させることができる。
【００８４】
なお、実施の形態１にあっては、ＰＣＬモデムを内蔵した映像表示装置を説明したが、外付けのＰＣＬモデムを用いて、映像及び音声データ等を送受信するように構成しても良い。
【００８５】
また、第１及び第２電力線を介して映像及び音声データを送受信するように構成してあるが、専用ケーブル又は無線で映像及び音声データを送受信するように構成しても良い。
【００８６】
更に、玄関子機で撮像及び集音した映像及び音声データを映像表示装置へ転送するように構成しているが、他の撮像装置にて撮像した映像データを映像表示装置へ転送するように構成しても良い。
【００８７】
更にまた、データ転送装置は、映像及び音声データを転送するように構成してあるが、映像データ若しくは音声データのみ、又は他のデータを転送するように構成しても良い。
【００８８】
更にまた、データ転送装置に撮像装置を備え、データ転送装置から直接、映像表示装置へ映像及び音声データを送信するように構成しても良い。
【００８９】
（実施の形態２）
図１０は、実施の形態２に係るデータ送信システムを示す模式図である。実施の形態２に係るデータ送信システムは、実施の形態１に係るデータ送信システムと同様の玄関子機２、親機３、映像表示装置４１，…，４７、及びデータ転送装置１を備えている。実施の形態２に係るデータ送信システムは、映像表示装置４１，…，４７の数、データ転送装置１の記憶部１ｂが記憶する情報、及び通信制御部１ａの処理手順のみが異なるため、以下では主に上記相違点を説明する。
【００９０】
１階の部屋Ｂに配された第１電力線５１には、映像表示装置４５が接続されており、２階の部屋Ｃ，Ｄに配された第２電力線５２には、映像表示装置４６及び映像表示装置４７が夫々接続されている。
【００９１】
データ転送装置１の記憶部１ｂは、操作部１ｇにて入力された優先順位情報を記憶している。優先順位情報は、電源が投入されている映像表示装置４１，…，４７が複数ある場合、映像及び音声データをいずれの映像表示装置４１，…，４７へ優先的に送信するかを示すデータである。
例えば、優先順位情報は、優先順位１番が各部屋Ａ，Ｂ，Ｃ，Ｄに接続されている映像表示装置４１，４２，４３，４４であり、優先順位２番が映像表示装置４５，４６，４７である旨の情報を有している。
【００９２】
図１１は、実施の形態２における映像及び音声データの転送先特定に係るサブルーチンの処理手順を示すフローチャートである。
【００９３】
転送先の特定に係るサブルーチンが呼び出された場合、通信制御部１ａは、一の映像表示装置４１，…，４７へ、電源が投入されているか否かを示す動作状態情報を要求する（ステップＳ１４１）。次いで、通信制御部１ａは、動作状態情報を受信したか否かを判定する（ステップＳ１４２）。動作状態情報を受信していないと判定した場合（ステップＳ１４２：ＮＯ）、通信制御部１ａは、処理をステップＳ１４１へ戻す。
【００９４】
動作状態情報を受信したと判定した場合（ステップＳ１４２：ＹＥＳ）、通信制御部１ａは、受信した動作状態情報に基づいて、電源が投入されているか否かを判定する（ステップＳ１４３）。電源が投入されていると判定した場合（ステップＳ１４３：ＹＥＳ）、通信制御部１ａは、記憶部１ｂから送信可否情報を読み出し（ステップＳ１４４）、映像及び音声データの送信が許可されているか否かを判定する（ステップＳ１４５）。
【００９５】
映像及び音声データの送信が許可されていると判定した場合（ステップＳ１４５：ＹＥＳ）、通信制御部１ａは、一の映像表示装置４１，…，４７を転送先候補として記憶する（ステップＳ１４６）。
【００９６】
ステップＳ１４６の処理を終えた場合、ステップＳ１４５で映像及び音声データの送信が許可されていないと判定した場合（ステップＳ１４５：ＮＯ）、又はステップＳ１４３で電源が投入されていないと判定した場合（ステップＳ１４３：ＮＯ）、通信制御部１ａは、第１及び第２電力線５１，５２に接続されている全映像表示装置４１，…，４７を調査したか否かを判定する（ステップＳ１４７）。全映像表示装置４１，…，４７を調査していないと判定した場合（ステップＳ１４７：ＮＯ）、通信制御部１ａは、処理をステップＳ１４１へ戻す。全映像表示装置４１，…，４７を調査したと判定した場合（ステップＳ１４７：ＹＥＳ）、通信制御部１ａは、複数の転送先候補があるか否かを判定する（ステップＳ１４８）。
【００９７】
複数の転送先候補があると判定した場合（ステップＳ１４８：ＹＥＳ）、通信制御部１ａは、優先順位情報を読み出す（ステップＳ１４９）。そして、通信制御部１ａは、優先順位が所定順位以上の映像表示装置４１，…，４７を転送先として記憶し（ステップＳ１５０）、転送先の特定に係るサブルーチンの処理を終える。例えば、映像表示装置４４，４７の電源が投入されている場合、映像表示装置４４，４７が転送先候補であるが、通信制御部１ａは、優先順位が高い映像表示装置４４を転送先として記憶する。
【００９８】
複数の転送先候補がないと判定した場合（ステップＳ１４８：ＮＯ）、転送先候補の映像表示装置４１，…，４７を転送先として記憶し（ステップＳ１５１）、転送先の特定に係るサブルーチンの処理を終える。
【００９９】
このように構成されたデータ送信システムにあっては、データ転送装置１に優先順位情報を記憶させることにより、電源が投入されており、優先順位が所定順位以上の特定の映像表示装置４１，…，４７へ映像及び音声データを送信し、玄関先の映像を表示させることができる。
【０１００】
実施の形態２に係るデータ送信システムの他の構成、作用及び効果は、実施の形態１に係るデータ送信システムと同様であるため、対応する箇所には同様の符号を付してその詳細な説明を省略する。
【０１０１】
（実施の形態３）
図１２は、実施の形態３における映像及び音声データの転送先特定に係るサブルーチンの処理手順を示すフローチャートである。実施の形態３に係るデータ送信システムは、通信制御部１ａの処理手順及び電力計６ａのみが実施の形態１に係るデータ送信システムと異なるため、以下では主に上記相違点を説明する。
電力計６ａは、第１及び第２電力線５１，５２で消費されている電力を計測し、計測して得た消費電力情報をデータ転送装置１へ出力するように構成されている。消費電力情報は、第１電力線５１に接続されている機器で消費されている電力、及び第２電力線５２に接続されている機器で消費されている電力を示す情報である。
【０１０２】
転送先の特定に係るサブルーチンが呼び出された場合、通信制御部１ａは、電力計６ａから消費電力情報を取得する（ステップＳ１６１）。
【０１０３】
次いで、通信制御部１ａは、第１電力線５１における消費電力が所定値以上であるか否かを判定する（ステップＳ１６２）。第１電力線５１における消費電力が所定値以上であると判定した場合（ステップＳ１６２：ＹＥＳ）、通信制御部１ａは、第１電力線５１に接続されている映像表示装置４１，４２を転送先として記憶する（ステップＳ１６３）。
【０１０４】
ステップＳ１６３の処理を終えた場合、又は第１電力線５１における消費電力が所定値未満であると判定した場合（ステップＳ１６２：ＮＯ）、通信制御部１ａは、第２電力線５２における消費電力が所定値以上であるか否かを判定する（ステップＳ１６４）。第２電力線５２における消費電力が所定値以上であると判定した場合（ステップＳ１６４：ＹＥＳ）、通信制御部１ａは、第２電力線５２に接続されている映像表示装置４３，４４を転送先として記憶する（ステップＳ１６５）。
【０１０５】
ステップＳ１６５の処理を終えた場合、又は第２電力線５２における消費電力が所定値未満であると判定した場合（ステップＳ１６４：ＮＯ）、通信制御部１ａは、転送先の特定に係るサブルーチンの処理を終える。
【０１０６】
このように構成されたデータ送信システムにあっては、既存の電力計６ａから消費電力情報を取得して、使用中の映像表示装置４１，４２，４３，４４を特定することができ、特定した映像表示装置４１，４２，４３，４４へ映像データを送信して、玄関先の映像を表示させることができる。
【０１０７】
実施の形態３に係るデータ送信システムの他の構成、作用及び効果は、実施の形態１に係るデータ送信システムの構成、作用及び効果と同様であるため、対応する箇所には同様の符号を付してその詳細な説明を省略する。
【図面の簡単な説明】
【０１０８】
【図１】本発明の実施の形態１に係るデータ送信システムを示す模式図である。
【図２】玄関子機の構成を示すブロック図である。
【図３】データ転送装置の構成を示すブロック図である。
【図４】映像表示装置の構成を示すブロック図である。
【図５】玄関子機の映像及び音声データの送信に係る子機制御部の処理手順を示すフローチャートである。
【図６】データ転送装置の映像及び音声データの転送に係る通信制御部の処理手順を示すフローチャートである。
【図７】映像及び音声データの転送先特定に係るサブルーチンの処理手順を示すフローチャートである。
【図８】映像表示装置の電源制御に係る表示制御部の処理手順を示すフローチャートである。
【図９】映像表示に係る表示制御部の処理手順を示すフローチャートである。
【図１０】実施の形態２に係るデータ送信システムを示す模式図である。
【図１１】実施の形態２における映像及び音声データの転送先特定に係るサブルーチンの処理手順を示すフローチャートである。
【図１２】実施の形態３における映像及び音声データの転送先特定に係るサブルーチンの処理手順を示すフローチャートである。
【符号の説明】
【０１０９】
１  データ転送装置（データ送信装置）
１ａ  通信制御部
１ｂ  記憶部
１ｃ  ＲＯＭ
１ｄ  ＲＡＭ
１ｅ  表示部
１ｆ  ＰＣＬモデム
１ｇ  操作部
１ｈ  バス
２  玄関子機（撮像装置）
２ａ  子機制御部
２ｄ  撮像部
２ｉ  ＰＣＬモデム
３  親機
４１，…，４７  映像表示装置
４１ａ  表示制御部
４１ｂ  映像表示部
４１ｆ  電源スイッチ
４１ｇ  操作信号受信部
４１ｉ  ＰＣＬモデム
４１ｊ  記憶部
５  電力線
５１  第１電力線
５２  第２電力線
６  配電盤
６ａ  電力計
【図１】
2007306142.tif 000003
【図２】
2007306142.tif 000004
【図３】
2007306142.tif 000005
【図４】
2007306142.tif 000006
【図５】
2007306142.tif 000007
【図６】
2007306142.tif 000008
【図７】
2007306142.tif 000009
【図８】
2007306142.tif 000010
【図９】
2007306142.tif 000011
【図１０】
2007306142.tif 000012
【図１１】
2007306142.tif 000013
【図１２】
2007306142.tif 000014